(57)【要約】【課題】被験者の過去の細菌検査の検査結果を示す情報に基づいてその被験者の体内での細菌の伝染経路を簡単に確認することができるための装置としてコンピュータを機能させる細菌検査結果管理用プログラムと、このような細菌検査結果管理用プログラムを格納したコンピュータ可読媒体とを、提供する。【解決手段】電子カルテシステムのクライアント装置１０は、所定の操作を受け付けると、被験者の過去の細菌検査の検査結果が全て示された菌履歴一覧画面３３を、表示装置１０ｃに表示させる。この菌履歴一覧画面３３には、被験者の体内の部位毎に六つの表示欄が示されるとともに、その各表示欄のうちの細菌検査がなされた被検材料に対応する部位の表示欄内においては、その部位から採取された被検材料に対してなされた細菌検査の検査結果が、その検査日ととともに、端から順に時系列的に列挙されている。【選択図】図２０
2005141531.tif 000002
【特許請求の範囲】
【請求項１】
被験者の体内の部位から採取された被検材料に対してなされた細菌検査の検査結果として少なくとも菌の検出の有無，菌の検出時の菌量，及び、検査日を示す情報を管理するための細菌検査結果管理用プログラムであって、
コンピュータを、
何れかの被験者についての過去の細菌検査の検査結果の表示を指定する情報を入力装置を通じて受け付ける第１受付手段，
前記第１受付手段が情報を受け付けると、その情報にて指定される被験者の過去の細菌検査の検査結果を示す情報を記憶装置から読み出す読出手段，及び、
前記読出手段が前記記憶装置から読み出した情報にて示される全ての検査結果が、それぞれその被検材料が採取された部位用の表示欄内に示されているとともに、前記各表示欄内では各検査結果が時系列的に列挙されている一覧画面を、表示装置に表示させる第１表示手段
として機能させる
ことを特徴とする細菌検査結果管理用プログラム。
【請求項２】
前記コンピュータを、更に、
前記表示装置に前記一覧画面が表示された際に、何れかの菌を指定する情報を入力装置を通じて受け付ける第２受付手段，及び、
前記第２受付手段が情報を受け付けると、その情報にて指定される菌についての検査結果のみ残されてその他の菌についての検査結果が省かれた一覧画面を、表示装置に表示させる第２表示手段
として機能させる
ことを特徴とする請求項１記載の細菌検査結果管理用プログラム。
【請求項３】
前記第２表示手段が前記表示装置に表示させる一覧画面には、前記各検査結果を古いものから新しいものへと順に指し示す矢印線が、描画されている
ことを特徴とする請求項２記載の細菌検査結果管理用プログラム。
【請求項４】
前記コンピュータを、更に、
前記第２表示手段が前記表示装置に表示させる一覧画面の前記表示欄に対するスクロール指示を入力装置を通じて受け付けるスクロール受付手段，及び、
前記スクロール受付手段が受け付けたスクロール指示に基づいて前記表示欄の再表示がなされた時に、前記矢印線の再描画を行う再描画手段
として機能させる
ことを特徴とする請求項３記載の細菌検査結果管理用プログラム。
【請求項５】
被験者の体内の部位から採取された被検材料に対してなされた細菌検査の検査結果として少なくとも菌の検出の有無，菌の検出時の菌量，及び、検査日を示す情報を管理するための細菌検査結果管理用プログラムであって、
コンピュータを、
何れかの被験者についての過去の細菌検査の検査結果の表示を指定する情報を入力装置を通じて受け付ける第１受付手段，
前記第１受付手段が情報を受け付けると、その情報にて指定される被験者の過去の細菌検査の検査結果を示す情報を記憶装置から読み出す読出手段，及び、
前記読出手段が前記記憶装置から読み出した情報にて示される全ての検査結果が、それぞれその被検材料が採取された部位用の表示欄内に示されているとともに、前記各表示欄内では各検査結果が時系列的に列挙されている一覧画面を、表示装置に表示させる第１表示手段
として機能させる細菌検査結果管理用プログラムを格納した
ことを特徴とするコンピュータ可読媒体。
【発明の詳細な説明】
【技術分野】
【０００１】
本発明は、被験者の体内の部位から取り出された被検材料に対してなされた細菌検査の検査結果を示す情報を管理するための細菌検査結果管理用プログラムと、そのような細菌検査結果管理用プログラムを格納したコンピュータ可読媒体とに、関する。
【背景技術】
【０００２】
近年、医師が受診者の症状や所見や治療歴を記載するための診療録（カルテ）に記載されたカルテ情報が、電子データとしてデータベース装置に管理されるようになってきている。このように管理されると、医師は、任意の受診者の過去のカルテ情報を、自分のコンピュータを通じてデータベース装置から取り出して閲覧することができる。このような閲覧システムは、電子カルテシステム（又は医療情報システム）と称されている。
【０００３】
ところで、周知のように、人が罹る病の一つに感染症がある。感染症の原因の一つである病原性の細菌や真菌は、顕微鏡観察や培養観察をすることができる。このような観察を通じて病原性の細菌や真菌の有無や量を判定し、菌の種類を同定し、菌の薬剤（主に抗生物質）に対する感受性を試験する作業は、細菌検査と称されている。この細菌検査の検査結果は、通常カルテに記載される情報であるので、上述した電子カルテシステムには、細菌検査の検査結果が蓄積されていることが多い。
【発明の開示】
【発明が解決しようとする課題】
【０００４】
一般に、細菌検査によって被験者から或る菌が検出されると、免疫力低下に因りその菌が最初に発生した部位や、その菌が体外から侵入して感染した最初の部位を特定するために、その菌が体内でどの部位からどの部位へ伝染したかが、確認される。
【０００５】
このような確認を行う場合、この被験者のカルテに記述された過去の細菌検査の検査結果を参照することによって、同一菌がどの時期のどの部位で検出されたかを調べねばならない。しかしながら、医師は、多数の受診者を診察することに手一杯であり、受診者一人一人に対してこのような作業を行う時間的余裕がない。そのため、医師からは、このような確認を簡単に行えないかという要望がある。
【０００６】
また、上述した従来の電子カルテシステムは、通常、カルテ情報が記述された画面を表示装置に表示させる機能しか有していない。このため、従来の電子カルテシステムによっても、体内での菌の伝染経路を簡単に確認することはできない。
【０００７】
本発明は、上述したような従来事情に鑑みてなされたものであり、その課題は、被験者の過去の細菌検査の検査結果を示す情報に基づいてその被験者の体内での菌の伝染経路を簡単に確認することができるための装置としてコンピュータを機能させる細菌検査結果管理用プログラムと、このような細菌検査結果管理用プログラムを格納したコンピュータ可読媒体とを、提供することにある。
【課題を解決するための手段】
【０００８】
上記の課題を解決するために発明された細菌検査結果管理用プログラム，及び、上記の課題を解決するために発明されたコンピュータ可読媒体に格納された細菌検査結果管理用プログラムは、以下に記述されるように構成されている。
【０００９】
すなわち、この細菌検査結果管理用プログラムは、被験者の体内の部位から採取された被検材料に対してなされた細菌検査の検査結果として少なくとも菌の検出の有無，菌の検出時の菌量，及び、検査日を示す情報を管理するための細菌検査結果管理用プログラムであって、コンピュータを、何れかの被験者についての過去の細菌検査の検査結果の表示を指定する情報を入力装置を通じて受け付ける第１受付手段，前記第１受付手段が情報を受け付けると、その情報にて指定される被験者の過去の細菌検査の検査結果を示す情報を記憶装置から読み出す読出手段，及び、前記読出手段が前記記憶装置から読み出した情報にて示される全ての検査結果が、それぞれその被検材料が採取された部位用の表示欄内に示されているとともに、前記各表示欄内では各検査結果が端から順に時系列的に列挙されている一覧画面を、表示装置に表示させる第１表示手段として機能させることを、特徴としている。
【００１０】
このような構成によれば、何れかの被験者についての過去の細菌検査の検査結果の表示を指定する情報が入力装置に入力された場合には、その被検者の過去の細菌検査の検査結果が示された一覧画面が、表示装置に表示される。そして、このとき表示される一覧画面には、被験者の体内の部位毎に複数の表示欄が示されるとともに、その各表示欄のうちの細菌検査がなされた被検材料に対応する部位の表示欄内においては、その部位から採取された被検材料に対してなされた細菌検査の検査結果が、その検査日ととともに、端から順に時系列的に列挙される。但し、同じ検査日であっても、互いに部位の異なる検査結果同士は、必ず同列に示されるものではない。このようにして一覧画面内において部位毎に検査結果が端から順に示されると、医師は、この一覧画面によって、その被験者の体内での細菌の伝染経路を簡単に確認することができるようになる。
【００１１】
なお、本発明による細菌検査結果管理用プログラムは、コンピュータに対し、何れかの菌を指定する情報を受け付けさせ、その情報を受け付けた場合に、その情報にて指定される菌についての検査結果のみが残されてその他の菌についての検査結果が省かれた一覧画面を表示装置に表示させるというプログラムであっても良い。
【００１２】
或いは、本発明による細菌検査結果管理用プログラムは、コンピュータに対し、任意の期間を指定する情報を受け付けさせ、情報を受け付けた場合に、その情報にて指定される期間に含まれる検査日についての検査結果のみが残されてその期間に含まれない検査日についての検査結果が省かれた一覧画面を表示装置に表示させるというプログラムであっても良い。
【００１３】
また、前者のように、何れかの菌を指定する情報をコンピュータに受付させる場合には、一覧画面には、各検査結果を古いものから新しいものへと順に指し示す矢印線が、描画されていることが望ましい。こうすれば、体内での細菌の伝染経路をより一段と簡単に確認することができるようになる。
【００１４】
さらに、本発明による細菌検査結果管理用プログラムにおいては、検査日は、体内の部位から被検材料を採取した日であっても良いが、受診者からの細菌検査の申し出を受け付けた受付日であっても良いし、検査結果が最終的に得られた日であっても良い。
【発明の効果】
【００１５】
以上に説明したように、本発明によれば、被験者の過去の細菌検査の検査結果を示す情報に基づいてその被験者の体内での細菌の伝染経路を簡単に確認することができる。
【発明を実施するための最良の形態】
【００１６】
以下、図面に基づいて、本発明を実施するための形態を説明する。
【００１７】
図１は、本発明の実施形態である電子カルテシステムを概略的に示す構成図である。図１に示されるように、この電子カルテシステムは、複数のクライアント装置１０と、サーバ装置２０とを、備えており、これら各装置１０，２０は、ネットワークＮを介して互いに接続されている。
【００１８】
クライアント装置１０は、何れも、電子カルテシステムのクライアントとしての機能が付加されたパーソナルコンピュータであり、病院内の診察室や医局内の個人的なデスクにおいて医師によって利用される。図２は、このクライアント装置１０の内部を概略的に示す構成図である。
【００１９】
図２に示されるように、クライアント装置１０は、ＣＰＵ［Central Processing Unit］１０ａ，ＲＡＭ［Random Access Memory］１０ｂ，表示装置１０ｃ，入力装置１０ｄ，通信制御装置１０ｅ，ＦＤＤ［Flexible Disk Drive］１０ｆ，ＣＤＤ［Compact Disk Drive］１０ｇ，及び、ＨＤＤ［Hard Disk Drive］１０ｈを、備えており、これらハードウエア１０ａ〜１０ｈは、バスＢを介して互いに接続されている。
【００２０】
ＣＰＵ１０ａは、クライアント装置１０全体を制御するための中央処理装置である。ＲＡＭ１０ｂは、ＣＰＵ１０ａが各種プログラムを実行するに際しての作業領域が展開される主記憶装置である。
【００２１】
表示装置１０ｃは、ＣＰＵ１０ａによって生成された画面データに基づいて各種画面を表示するための装置であり、具体的にはブラウン管ディスプレイや液晶ディスプレイである。入力装置１０ｄは、操作者からの入力を受け付けるための装置であり、具体的にはキーボードやマウスやタッチスクリーンである。
【００２２】
通信制御装置１０ｅは、ネットワークＮを構成する中継装置との間で有線通信又は無線通信にてデータの送受信を司る装置であり、具体的には、ＬＡＮ［Local Area Network］接続ボード，ターミナルアダプタ，又は、モデムなどである。
【００２３】
ＦＤＤ１０ｆ及びＣＤＤ１０ｇは、コンピュータ可読媒体であるフレキシブルディスクＦＤやコンパクトディスクＣＤからデータやプログラムを読み出したりこれらディスクＦＤ，ＣＤに書き込んだりするための補助記憶装置であり、ディスクＦＤ，ＣＤを着脱自在に装着するための機構を、備えている。
【００２４】
ＨＤＤ１０ｈは、クライアント装置１０に内蔵され或いは外付けされる補助記憶装置であり、ＣＰＵ１０ａによってＲＡＭ１０ｂ上に読み出されて実行される各種プログラムを格納している。このＨＤＤ１０ｈには、ハードウエアとソフトウエアとを統合的に管理するためのＯＳ［Operating System］プログラムの他、クライアントソフトウエアが、格納されている。
【００２５】
このクライアントソフトウエアは、上述した電子カルテシステムのクライアントとしての機能をパーソナルコンピュータ上に実現するためのソフトウエアであり、より具体的には、ＣＰＵ１０ａに対し、入力装置１０ｄを通じて操作者から指定された各種の情報を後述のサーバ装置２０から取得させ、その情報に基づいて生成した様々な画面を表示装置１０ｃに表示させる。
【００２６】
そして、このクライアントソフトウエアには、本発明に係る伝染経路確認用プログラム１１が、含まれているが、この伝染経路確認用プログラム１１に従ってＣＰＵ１０ａが実行する処理の内容については、後述する。
【００２７】
なお、このクライアントソフトウエアは、フレキシブルディスクＦＤ又はコンパクトディスクＣＤからＦＤＤ１０ｆ又はＣＤＤ１０ｇによって読み出されて、ＨＤＤ１０ｈにインストールされたものである。
【００２８】
一方、サーバ装置２０は、電子カルテシステムのデータベースサーバとしての機能が付加された汎用コンピュータであり、病院内の所定の部屋に設置されている。図３は、このサーバ装置２０の内部を概略的に示す構成図である。
【００２９】
図３に示されるように、サーバ装置２０は、ＣＰＵ２０ａ，ＲＡＭ２０ｂ，通信制御装置２０ｃ，及び、記憶装置２０ｄを、備えており、各ハードウエア２０ａ〜２０ｄは、バスＢを介して互いに接続されている。そして、ＣＰＵ２０ａ，ＲＡＭ２０ｂ，通信制御装置２０ｃは、クライアント装置１０のそれと同様の機能を有している。
【００３０】
記憶装置２０ｄは、各種のデータ及びプログラムが読み書きされる装置である。この記憶装置２０ｄには、ＯＳプログラムとともに、複数のデータベース，データベースプログラム，及び、複数のマスタテーブルが、格納されている。
【００３１】
この記憶装置２０ｄに格納されているデータベースには、全検査結果一括管理データベース２１，細菌検査結果データベース２２，及び、感受性試験結果データベース２３が、含まれている。
【００３２】
また、この記憶装置２０ｄに格納されているマスタテーブルには、依頼元情報管理マスタテーブル２４，被検材料情報管理マスタテーブル２５，検査部位情報管理マスタテーブル２６，菌情報管理マスタテーブル２７，検査項目管理マスタテーブル２８，及び、菌量情報管理マスタテーブル２９が、含まれている。
【００３３】
以下、これらデータベース２１〜２３及びマスタテーブル２４〜２９について、順に説明する。
【００３４】
全検査結果一括管理データベース２１は、この電子カルテシステムを利用する各病院内の全ての細菌検査室において行われた全ての細菌検査に関する主な情報を一括して管理するためのデータベースである。図４は、この全検査結果一括管理データベース２１を説明するために概念的に示されたデータ構造図である。
【００３５】
図４の全検査結果一括管理データベース２１は、各病院内の全ての細菌検査室においてそれぞれ行われた細菌検査の回数と同じ数のレコードを、有している。なお、本実施形態では、一つの細菌検査室が一人の被験者について受け付けた細菌検査が、一回の細菌検査として勘定される。各レコードは、「検査室管理番号」，「病院」，「医科」，「被験者番号」，「受付日」，「採取日」，「判定日」，「報告日」，「検査区分」，「材料」，「部位」，「補足材料」，及び、「抗酸菌陽性」のフィールドを、有している。
【００３６】
「検査室管理番号」には、一つの病院内の全ての細菌検査室に行われた各細菌検査をその病院内で個別に識別するための識別情報である検査室管理番号が、記録される。なお、本実施形態では、一つの病院（内の所定の端末）が、全ての細菌検査室を通じて一日の間に受け付けた複数の細菌検査のそれぞれに対し、その受付日内で一意に識別するための検体番号を、付与している。そして、その受付日と検体番号とを組み合わせてなる番号が、検査室管理番号として用いられる。
【００３７】
「病院」には、その細菌検査を行った細菌検査室が所属する病院を個別に識別するための識別情報である病院コードが、記録される。なお、一般的に、或る病院の医科が他の病院の細菌検査室に細菌検査を依頼することが殆どないので、本実施形態においても、そのようなことが全くないものとする。「医科」には、細菌検査室に細菌検査を依頼した医科を個別に識別するための識別情報である医科コードが、記録される。
【００３８】
「被験者番号」には、その細菌検査の被験者を個別に識別するための識別情報である被験者番号が、記録される。なお、本実施形態では、この電子カルテシステムを利用する何れかの病院で受診したことがある受診者に関する情報（例えば、受診者ＩＤ，氏名，フリガナ，性別，生年月日，年齢，住所，電話番号，健康保険証番号など）が、記憶装置２０ｄ内の図示せぬ受診者データベースに、蓄積されている。そして、本実施形態では、「被験者番号」に記録される被験者番号は、その受診者に関する情報の一つである受診者ＩＤを利用したものとなっている。
【００３９】
「受付日」には、細菌検査室がその細菌検査の依頼を医科から受け付けた日である受付日の年月日が、記録される。「採取日」には、その細菌検査の検査対象である被検材料を被験者の体内の部位から採取した日である採取日の年月日が、記録される。「判定日」には、その細菌検査の各検査項目（菌の検出の有無，検出菌の量，検出菌の種類の同定，同定菌の薬剤に対する感受性試験など）の結果が全て出揃った日である判定日の年月日が、記録される。「報告日」には、その細菌検査の結果を被験者に報告した日である報告日の年月日が、記録される。
【００４０】
「検査区分」には、その細菌検査の検査結果として得られる菌の属性を個別に識別するための識別情報である検査区分コードが、記録される。本実施形態では、“１”の検査区分コードは、菌の属性が一般細菌であることを示し、“２”の検査区分コードは、菌の属性が抗酸菌であることを示す。
【００４１】
ここで、抗酸菌とは、結核菌や癩菌や鳥型結核菌などのようなミコバクテリアの菌種に属する菌を言う。抗酸菌は、顕微鏡観察では見えにくく、加熱染色なされることにより観察され得る。つまり、抗酸菌には、一般細菌とは異なる処理がなされるため、一般細菌とは異なる検査区分コードが与えられている。なお、染色された抗酸菌は、強酸による脱色が効かないため、抗酸菌と称されている。
【００４２】
「材料」には、その細菌検査の検査対象である被検材料を個別に識別するための識別情報である材料コードが、記録される。「部位」には、その細菌検査の検査対象である被検材料が採取された部位を個別に識別するための識別情報である部位コードが、記録される。
【００４３】
「補足材料」には、その細菌検査において主な被検材料の他に補助的に用いられた被検材料の材料コードが、記録される。但し、補助的な被検材料がなかった場合には、「補足材料」は空欄となる。
【００４４】
「抗酸菌陽性」には、その細菌検査により同定された菌が抗酸菌であったか否かを示す抗酸菌フラグが、記録される。なお、“０”の抗酸菌フラグは、検出菌が抗酸菌でなかったこと（すなわち陰性）を示し、“１”の抗酸菌フラグは、検出菌が抗酸菌であったこと（すなわち陽性）を示す。
【００４５】
細菌検査結果データベース２２は、細菌検査の検査結果に関する詳細な情報を保存するためのデータベースである。この細菌検査結果データベース２２は、一回の細菌検査につき一つ作成されるため、記憶装置２０ｄ内には、細菌検査の回数と同じ数だけ細菌検査結果データベース２２が、存在する。図５は、この細菌検査結果データベース２２を説明するために概念的に示されたデータ構造図である。
【００４６】
図５の細菌検査結果データベース２２は、一回の細菌検査における全ての検査項目と同じ数のレコードと、これに加えて、各検査項目が所属する後述の大項目と同じ数のレコードとを、有している。各レコードは、「検査室管理番号」，「病院」，「医科」，「被験者番号」，「受付日」，「判定日」，「検査区分」，「判定区分」，「材料」，「部位」，「検査項目」，「同定菌」，「検出菌量」，「感受性」，及び、「データ型」のフィールドを、有している。
【００４７】
「検査室管理番号」，「病院」，「医科」，「被験者番号」，「受付日」，「判定日」，「検査区分」，「材料」，及び、「部位」には、検査室管理番号，病院コード，医科コード，被験者番号，受付日，判定日，検査区分コード，材料コード，及び、部位コードが、それぞれ記録される。
【００４８】
なお、上述したように、検査室管理番号は、その細菌検査室の属する病院内における一回の細菌検査に対して一意に割り振られる番号であるので、１つの細菌検査結果データベース２２の各レコードの「検査室管理番号」には、全て同じ検査室管理番号が記録される。
【００４９】
また、一回の細菌検査についての依頼元の医科や被験者や受付日や判定日や検査区分は皆同じであるので、１つの細菌検査結果データベース２２における「病院」，「医科」，「被験者番号」，「受付日」，「判定日」，「検査区分」，「材料」，及び、「部位」のフィールドにも、それぞれ同じ情報が記録される。
【００５０】
「判定区分」には、その細菌検査において採用され得る検査方法を個別に識別するための識別情報である判定区分コードが、記録される。本実施形態では、“１”の判定区分コードは、検査方法が塗抹観察であることを示し、“２”の判定区分コードは、検査方法が培養観察であることを示し、“３”の判定区分コードは、検査方法が同定であることを示し、“４”の判定区分コードは、検査方法が培養同定であることを示す。
【００５１】
ここで、塗抹観察とは、被検部材がセットされたプレパラートを顕微鏡で観察することによって菌の有無及び検出菌の量を特定することを言う。また、培養観察とは、被検部材が塗り付けられるとともに一定期間人工的条件下におかれた特殊培地を観察することにより菌の有無及び増殖後の菌の量を特定することを言う。また、同定とは、未知の菌が有する生物学的，科学的，及び、遺伝学的性状について様々な手法によって明らかにすることにより、生物分類学上の帰属分類群及び名称を特定することを言う。また、培養同定とは、上述した培養により未知の菌を増殖させた後にその菌の酵素反応や血清反応などを参考にして生物分類学上の帰属分類群及び名称を特定することを言う。
【００５２】
なお、一回の細菌検査における各検査項目において採られる検査方法がそれぞれ異なるので、１つの細菌検査結果データベース２２の全てのレコードの「判定区分」に同じ判定区分コードが記録されるとは限らない。
【００５３】
「検査項目」には、その細菌検査における各検査項目及び後述の各大項目を個別に識別するための識別情報である検査項目コードが、記録される。なお、細菌検査には、幾つかの種類（塗抹観察，培養同定，嫌気培養，感受性試験など）が存在している。また、細菌検査の幾つかの種類のものにおいては、検出対象，同定対象，又は、試験対象とされ得る菌が、決まっている。そこで、本実施形態では、そのような種類の細菌検査については、対象とされ得る各菌についての各種類の検査が、細菌検査の最小単位となる検査項目とされている。
【００５４】
また、本実施形態では、この検査の種類を大項目として定義し、各大項目にも検査項目コードを与えている。なお、図５では、下一桁が“０”である検査項目コードが、大項目を示している。このように、最小単位としての検査項目と同義な検査項目コードを各大項目にも付与したのは、後述するように、細菌検査結果データベース２２の各レコードを用いて、細菌検査の検査結果の詳細な内容を提示するための画面（図１９参照）の画面データを、生成するためである。
【００５５】
ところで、検査の種類が異なる場合でも、同じ検査方法が採られることがある。例えば、培養同定（検査項目コード＝００１００）と嫌気培養（検査項目コード＝００４００）は、検査の種類が異なるが、同じ培養同定（判定区分コード＝４）という検査方法が採られる。従って、検査の種類には、検査方法（判定区分）とは別系統のコード情報が与えられていても構わない。
【００５６】
「同定菌」には、各検査項目において検出された菌を個別に識別するための識別情報である菌コードが、記録される。但し、菌の同定が行われない検査項目については、「同定菌」は空欄となる。
【００５７】
「検出菌量」には、菌量コードが記録される。ここで、菌量コードとは、菌量がとり得る全ての値を幾つかのレベルに区分するために定義されたコード情報を言い、各菌の菌量が到達したうちの最上のレベルを示す菌量コードが、「検出菌量」に記録される。
【００５８】
「感受性」には、その検査項目が感受性試験を行うものであるか否かを示す感受性試験有無フラグが、記録される。なお、“０”の感受性試験有無フラグは、その検査項目が感受性試験を行うものではないことを示し、“１”の感受性フラグは、その検査項目が感受性試験を行うものであることを示す。また、上述したように、下一桁が“０”である検査項目コードを持つレコードは、単に大項目の検査項目名を表示するために用いられるだけであり、そもそも、感受性試験が行われる菌名を表すものとして利用されない。従って、大項目を示すレコードの「感受性」には、常に“０”が記録される。
【００５９】
「データ型」には、各レコードが先述の画面（図１９参照）内におけるどの種の情報（検査項目や菌名や菌量）の基となるレコードであるかをそれぞれ示すコード情報であるデータ型コードが、記録される。なお、このデータ型コードは、後述するように、菌情報管理マスタテーブル２７や検査項目管理マスタテーブル２８や菌量情報管理マスタテーブル２９から、当該画面（図１９参照）に表示される各種の情報（検査項目の名称や菌の名称や所定の表現形式を持つ菌の量に関する情報など）を読み出す際に用いられる。
【００６０】
より具体的に説明すると、本実施形態では、“０１”のデータ型コードは、そのレコードが後述の検査項目管理マスタテーブル２８から塗抹観察や培養同定などの検査の種類（すなわち大項目）の名称を取得する際に用いられるレコードであることを、示している。また、“０２”のデータ型コードは、そのレコードが後述の菌情報管理マスタテーブル２７や菌量情報管理マスタテーブル２９から塗抹観察における検出対象となる菌の名称や菌量に関する情報を取得する際に用られるレコードであることを、示している。
【００６１】
また、“０３”のデータ型コードは、そのレコードが後述の菌情報管理マスタテーブル２７や菌量情報管理マスタテーブル２９から培養同定における同定対象となる菌の名称や菌量に関する情報を取得する際に用られるレコードであることを、示しており、“０４”のデータ型コードは、そのレコードが後述の菌情報管理マスタテーブル２７から感受性試験の対象となる同定菌の名称を取得する際に用られるレコードであることを、示している。
【００６２】
さらに、“０５”のデータ型コードは、そのレコードが後述の菌情報管理マスタテーブル２７や検査項目管理マスタテーブル２８や菌量情報管理マスタテーブル２９から感受性試験の対象となる同定菌の名称や使用薬剤の名称や同定菌の検出量を表示するために利用されるレコードであることを、示している。
【００６３】
つまり、これらのデータ型コードは、細菌検査結果データベース２２に蓄積されている各レコードを管理する上での分類キーとしての機能を、有している。
【００６４】
感受性試験結果データベース２３は、一回の細菌検査において行われた各感受性試験に関する情報を保存するためのデータベースである。この感受性試験結果データベース２３は、感受性試験を行う検査項目を含む細菌検査と同じ数だけ、記憶装置２０ｄに存在している。なお、感受性試験は、一回の細菌検査において、同定できた検出菌が存在していて、且つ、その同定菌が感受性試験の対象とされた場合に、行われる。このため、感受性試験結果データベース２３は、細菌検査の回数と同じかそれより少ない数だけ、記憶装置２０ｄに存在する。図６は、この感受性試験結果データベース２３を説明するために概念的に示されたデータ構造図である。
【００６５】
図６の感受性試験結果データベース２３は、一回の細菌検査において感受性試験の対象となる各同定菌とそれぞれに用いられる薬剤数との組み合わせと同じ数のレコードを、有している。各レコードは、「検査室管理番号」，「病院」，「医科」，「被験者番号」，「受付日」，「判定日」，「検査区分」，「材料」，「部位」，「検査項目」，「同定菌」，「薬剤」，「検出菌量」，及び、「データ型」のフィールドを、有している。
【００６６】
「検査室管理番号」，「病院」，「医科」，「被験者番号」，「受付日」，「判定日」，「検査区分」，「材料」，及び、「部位」には、その細菌検査の検査室管理番号，病院コード，医科コード，被験者番号，受付日，判定日，検査区分コード，材料コード，及び、部位コードと同じ情報が、それぞれ記録される。
【００６７】
「検査項目」には、各同定菌についての感受性試験を最小単位の検査項目として示す検査項目コードが、記録される。「同定菌」には、各同定菌の菌コードが記録される。「薬剤」には、感受性試験に用いられ得る全ての薬剤を個別に識別するための識別情報である薬剤コードが、記録される。
【００６８】
「検出菌量」には、菌量コードが記録される。なお、実際の感受性試験においては、寒天平板希釈法やディスク法など様々な分析方法と各機関による分析結果の解釈の違いに因って、分析結果として得られる数値は異なるものの、その分析結果から最終的に判定されて得られる試験結果は、次の３つの何れかとなる。その３つの試験結果とは、菌が薬剤に対して感受性を持つことを示す“Ｓ（Susceptible）”，菌が薬剤に対して耐性を持つことを示す“Ｒ（Resistant）”，及び、菌が薬剤に対して感受性を持つとも耐性を持つとも言えないことを示す“Ｉ（lntermediate）”である。つまり、感受性試験において用いられる菌量コードは、上述した菌量コードとは異なる体系を有している。
【００６９】
「データ型」には、感受性試験結果データベース２３のレコードが感受性試験の対象となる同定菌の名称や使用薬剤の名称や同定菌の検出量を表示するために利用されるレコードであることを示すデータ型コードが、記録される。つまり、本実施形態では、「データ型」には、上述した“０５”が、記録される。
【００７０】
依頼元情報管理マスタテーブル２４は、この電子カルテシステムを利用する各病院の名称とその病院内の細菌検査室に細菌検査を依頼した医科の名称を、上述した各データベース２１〜２３に蓄積されている医科コード及び病院コードから導出するために用いられるマスタテーブルである。図７は、この依頼元情報管理マスタテーブル２４を説明するために概念的に示されたデータ構造図である。
【００７１】
図７の依頼元情報管理マスタテーブル２４は、この電子カルテシステムを利用する各病院とそれぞれに存在する各医科との組み合わせと同じ数のレコードを、有している。各レコードは、「病院コード」，「病院名」，「医科コード」，及び、「医科名」のフィールドを、有している。
【００７２】
「病院コード」には、各病院の病院コードが記録される。「病院名」には、各病院の名称が記録される。「医科コード」には、各医科の医科コードが記録される。「医科名」には、各医科の名称が記録される。
【００７３】
被検材料情報管理マスタテーブル２５は、細菌検査において被験者の体内の各部位から採取された被検材料の名称を、上述した各データベース２１〜２３に蓄積されている材料コードから導出するために用いられるマスタテーブルである。図８は、この被検材料情報管理マスタテーブル２５を説明するために概念的に示されたデータ構造図である。
【００７４】
図８の被検材料情報管理マスタテーブル２５は、被験者の体内の各部位から採取され得る全ての被検材料と同じ数のレコードを、有している。各レコードは、「材料コード」及び「材料名」のフィールドを、有している。
【００７５】
「材料コード」には、被験者の体内の各部位から採取され得る各被検材料の材料コードが、記録される。「材料名」には、各被検材料の材料名が記録される。
【００７６】
検査部位情報管理マスタテーブル２６は、被験者の体内で被検材料の採取対象となった部位の名称を、上述した各データベース２１〜２３に蓄積されている部位コードから導出するために用いられるマスタテーブルである。図９は、この検査部位情報管理マスタテーブル２６を説明するために概念的に示されたデータ構造図である。
【００７７】
図９の検査部位情報管理マスタテーブル２６は、被験者の体内で被検材料の採取対象となり得る全ての部位と同じ数のレコードを、有している。各レコードは、「部位コード」及び「部位名」のフィールドを、有している。
【００７８】
「部位コード」には、被験者の体内で被検材料の採取対象となり得る各部位の部位コードが、記録される。「部位名」には、各部位の名称が記録される。
【００７９】
菌情報管理マスタテーブル２７は、各被検材料から検出される菌（細菌及び真菌）の名称を、上述した各データベース２２，２３に蓄積されている菌コードから導出するために用いられるマスタテーブルである。図１０は、この菌情報管理マスタテーブル２７を説明するために概念的に示されたデータ構造図である。
【００８０】
図１０の菌情報管理マスタテーブル２７は、各被検材料から検出され得る全ての菌と同じ数のレコードを、有している。各レコードは、「菌コード」及び「菌名」のフィールドを、有している。
【００８１】
「菌コード」には、各被検材料から検出され得る各菌の菌コードが、記録される。「菌名」には、各菌の名称が記録される。
【００８２】
検査項目管理マスタテーブル２８は、細菌検査の各検査項目及び各大項目の名称を、上述した各データベース２１〜２３に蓄積されている検査区分コード，判定区分コード，検査項目コード，及び、データ型コードから導出するために用いられるマスタテーブルである。図１１は、この検査項目管理マスタテーブル２８を説明するために概念的に示されたデータ構造図である。
【００８３】
図１１の検査項目管理マスターテーブル２８は、細菌検査において行われ得る全ての検査項目と同じ数のレコードと、これに加えて、各検査項目が所属し得る全ての大項目と同じ数のレコードとを、有している。各レコードは、「検査区分コード」，「判定区分コード」，「検査項目コード」，「データ型コード」，及び、「検査項目名」のフィールドを、有している。
【００８４】
「検査区分コード」には、各検査区分コードが記録され、「判定区分コード」には、各判定区分コードが記録され、「検査項目コード」には、各検査項目コードが記録され、「データ型コード」には、データ型コードが記録される。「検査項目名」には、各検査項目又は各大項目の名称が、記録される。
【００８５】
なお、本実施形態の検査項目管理マスタテーブル２８では、「検査項目名」のフィールドには、細菌検査の最小単位としての検査項目の名称の他に、感受性試験において用いられる薬剤の名称も、管理対象として記録される。そして、管理対象が感受性試験において用いられる薬剤名であるか否かは、データ型コードにより識別される。すなわち、データ型コードが“０５”であれば、「検査項目名」には、感受性試験において用いられる薬剤名が記録され、データ型コードが“０５”以外であれば、「検査項目名」には、細菌検査の最小単位としての検査項目又は大項目の名称が記録される。
【００８６】
菌量情報管理マスタテーブル２９は、感受性試験及びそれ以外の検査において検出される菌の量について医師が認識できるような表現形式を持つ菌量情報を、上述した各データベース２２，２３に蓄積されている菌量コード及びデータ型コードから導出するために用いられるマスタテーブルである。図１２は、この菌量情報管理マスタテーブル２９を説明するために概念的に示されたデータ構造図である。
【００８７】
図１２の菌量情報管理マスタテーブル２９は、感受性試験において用いられ得る全ての菌量コードの数及びそれ以外の検査において用いられ得る全ての菌量コードの数と同じ数のレコードを、有している。各レコードは、「菌量コード」，「データ型コード」，及び、「菌量情報」のフィールドを、有している。
【００８８】
「菌量コード」には、各菌量コードが記録され、「データ型コード」には、データ型コードが記録される。「菌量情報」には、各菌量情報が記録される。なお、本実施形態では、菌量コード及び菌量情報が感受性試験のものであるのかそうでないのかは、データ型コードにより識別される。すなわち、データ型コードが“０５”であれば、菌量コード及び菌量情報は感受性試験のものとなり、データ型コードが“０５”以外であれば、菌量コード及び菌量情報は感受性試験以外の検査のものとなる。
【００８９】
以下、以上のように構成される電子カルテシステムにおいて実行される処理について、説明する。
【００９０】
まず、この電子カルテシステムが整備された病院に勤務する医師は、自分のクライアント装置１０の入力装置１０ｄを操作することによって、クライアントソフトウエア中の所定のプログラムを立ち上げ、所定のメニュー画面を表示装置１０ｃに表示させておく。
【００９１】
そして、この医師は、受診者や入院患者についての病歴や過去の検査結果を検討する場合、入力装置１０ｄを操作することによって、そのメニュー画面内の所定のボタンをクリックして、カルテ情報を表示装置１０ｃに表示させる。
【００９２】
また、この医師は、診察している者や入院患者についての過去の細菌検査の検査結果を検討する場合、入力装置１０ｄを操作することによって、そのメニュー画面内における上記のボタンとは別の所定のボタンを、クリックする。すると、ＣＰＵ１０ａが、ＨＤＤ１０ｈから伝染経路確認用プログラム１１を読み込み、伝染経路確認用処理が実行される。図１３乃至図１６は、この伝染経路確認用処理の内容を説明するためのフローチャートである。
【００９３】
伝染経路確認用処理の開始後、最初のステップＳ１０１を実行する前に、ＣＰＵ１０ａは、まず、後述する各種の画面の画面データに組み込まれる情報を一時的に記録しておくためのワークテーブルを、少なくとも６個、ＲＡＭ１０ｂ内に用意する。
【００９４】
そして、最初のステップＳ１０１では、ＣＰＵ１０ａは、検索条件入力画面を表示装置１０ｃに表示するための処理を実行する。より具体的には、ＣＰＵ１０ａは、ＨＤＤ１０ｈ中のクライアントソフトウエアに含まれる所定の画面データを読み出し、この画面データに基づいて検索条件入力画面を表示装置１０ｃに表示させる。
【００９５】
なお、図示していないが、この検索条件入力画面には、全検査結果一括管理データベース２１から任意の被験者のレコードを幾つか検出する際の検索条件を入力するための入力欄が、設けられている。その入力欄は、例えば、テキストボックスやプルダウンリストボックス等である。また、その入力欄において受け付け得る検索条件としては、例えば、細菌検査の被験者（つまり、医師が過去の細菌検査の検査結果を検討しようとする対象者である受診者や入院患者）の氏名（漢字），フリガナ，被験者番号（先に例示した受診者ＩＤ）などがあり、また、これら検索条件に対して付加的に用いられる検索条件としては、受付日や判定日などが含まれる期間や、細菌検査の依頼元である医科などがある。
【００９６】
また、この検索条件入力画面には、少なくとも３つのボタンが、設けられている。一つ目のボタンは、上述したメニュー画面を表示装置１０ｃに表示させようとする操作者によってクリックされる戻るボタンであり、二つ目のボタンは、入力欄への検索条件の入力を済ませた操作者によってクリックされる検索ボタンであり、三つ目のボタンは、検索条件が入力された入力欄を一旦クリアしようとする操作者によってクリックされる訂正ボタンである。
【００９７】
ＣＰＵ１０ａは、このような検索条件入力画面を表示装置１０ｃに表示させた後、ステップＳ１０１からステップＳ１０２へ処理を進める。
【００９８】
ステップＳ１０２では、ＣＰＵ１０ａは、検索条件入力画面に設けられている三つのボタンのうちの何れか１つがクリックされるまで、待機する（Ｓ１０２；ＮＯ）。そして、何れか１つのボタンがクリックされると（Ｓ１０２；ＹＥＳ）、ＣＰＵ１０ａは、ステップＳ１０３へ処理を進める。
【００９９】
ステップＳ１０３では、ＣＰＵ１０ａは、クリックされたボタンが上記の検索条件入力画面の中の３つのボタンのうちのどのボタンであるかを、判別する。そして、ＣＰＵ１０ａは、クリックされたボタンが戻るボタンであった場合（Ｓ１０３；戻る）には、伝染経路確認用処理を終了し、クリックされたボタンが訂正ボタンであった場合（Ｓ１０３；訂正）には、ステップＳ１０１へ処理を戻し、クリックされたボタンが検索ボタンであった場合（Ｓ１０３；検索）には、ステップＳ１０４へ処理を進める。
【０１００】
ステップＳ１０４では、ＣＰＵ１０ａは、検索処理を実行する。より具体的に説明すると、ＣＰＵ１０ａは、検索ボタンがクリックされた時点で検索条件入力画面の入力欄に入力されていた検索条件を引数としてサーバ装置２０へ引き渡す。
【０１０１】
サーバ装置２０は、検索条件を受け取ると、データベースプログラムを起動して、受け取った検索条件で全検査結果一括管理データベース２１内を検索する。そして、サーバ装置２０は、検索の結果、幾つかレコードを検出すると、それらレコードをそれぞれ簡略検査結果情報として、クライアント装置１０へ引き渡す。
【０１０２】
クライアント装置１０は、検索結果として簡略検査結果情報を受け取ると、検索処理を終了したとして、ステップＳ１０４からステップＳ１０５へ処理を進める。
【０１０３】
ステップＳ１０５では、ＣＰＵ１０ａは、検索結果一覧画面を表示装置１０ｃに表示するための処理を実行する。
【０１０４】
このステップＳ１０５において実行される処理をより具体的に説明すると、ＣＰＵ１０ａは、まず、ＨＤＤ１０ｈ中のクライアントソフトウエアに含まれる所定の画面データを読み出す。続いて、ＣＰＵ１０ａは、サーバ装置２０から検索結果として受け取った全ての簡略検査結果情報のそれぞれについて、以下に説明する処理を繰り返し実行する。
【０１０５】
すなわち、ＣＰＵ１０ａは、一つの簡略検査結果情報中の検査区分コード，被験者番号，医科コード，材料コード，及び、部位コードにそれぞれ対応する検査区分名，被験者氏名，医科名，材料名，及び、部位名を、サーバ装置２０内の依頼元情報管理マスタテーブル２４，被検材料情報管理マスタテーブル２５，検査部位情報管理マスタテーブル２６，及び、その他の図示せぬテーブル（例えば、検査区分コードから検査区分名を導出するための図示せぬテーブル），並びに、上述した図示せぬ受診者データベースから読み出す。
【０１０６】
さらに、ＣＰＵ１０ａは、その一つの簡略検査結果情報中の検査室管理番号の中から検体番号を抽出する。その後、ＣＰＵ１０ａは、その一つの簡略検査結果情報に係る検査区分名，受付日，検体番号，被験者氏名，医科名，材料名，及び、部位名からなるデータを、上述した画面データに組み込む。
【０１０７】
ＣＰＵ１０ａは、上述した処理を簡略検査結果情報のそれぞれについて実行した後、この画面データに基づいて検索結果一覧画面を表示装置１０ｃに表示させる。図１７は、この検索結果一覧画面３１の画面例を、示している。
【０１０８】
図１７の検索結果一覧画面３１には、一覧表が示されている。この一覧表は、サーバ装置２０によって全検査結果一括管理データベース２１から検出された各レコードに基づく情報が各行に列挙されることによって、構成されている。各行は、検査区分名，受付日，検体番号，被験者氏名，医科名，材料名，及び、部位名のフィールドを、有している。
【０１０９】
なお、この検索結果一覧画面３１中の一覧表において、各行を占める領域は、それぞれ、その行の簡易検査結果情報を全ての中から選択するためのクリッカブルなボタンとして機能する。また、この検索結果一覧画面３１には、上述した検索条件入力画面を表示装置１０ｃに表示させようとする操作者によってクリックされる戻るボタン３１ａが、示されている。
【０１１０】
図１３のステップＳ１０５の処理を実行することによって、図１７のような検索結果一覧画面３１が表示装置１０ｃに表示された後、ＣＰＵ１０ａは、ステップＳ１０６へ処理を進める。
【０１１１】
ステップＳ１０６では、ＣＰＵ１０ａは、検索結果一覧画面３１に示されている複数のボタンのうちの何れか１つがクリックされるまで、待機する（Ｓ１０６；ＮＯ）。そして、何れか１つのボタンがクリックされると（Ｓ１０６；ＹＥＳ）、ＣＰＵ１０ａは、ステップＳ１０７へ処理を進める。
【０１１２】
ステップＳ１０７では、ＣＰＵ１０ａは、クリックされたボタンが複数のボタンのうちのどのボタンであるかを、判別する。そして、ＣＰＵ１０ａは、クリックされたボタンが戻るボタン３１ａであった場合（Ｓ１０７；戻る）には、ステップＳ１０１へ処理を戻し、クリックされたボタンが何れかの簡易検査結果情報が示されたクリッカブルボタンであった場合（Ｓ１０３；検査結果欄）には、ステップＳ１０８へ処理を進める。
【０１１３】
ステップＳ１０８では、ＣＰＵ１０ａは、詳細検査結果情報抽出処理を実行する。図１８は、この詳細検査結果情報抽出処理の内容を説明するためのフローチャートである。
【０１１４】
詳細検査結果情報抽出処理の開始後、最初のステップＳ２０１では、ＣＰＵ１０ａは、検索結果一覧画面３１の一覧表の中から選択された簡易検査結果情報（クリックされたボタンに示された簡易検査結果情報）中の検査室管理番号，病院コード，被験者番号，及び、検査区分コードを、検索条件として読み出し、続いて、その検索条件と同じ情報の組み合わせを含むレコードが記録されている細菌検査結果データベース２２を、サーバ装置２０内の各細菌検査結果データベース２２の中から全て特定する。特定後、ＣＰＵ１０ａは、ステップＳ２０２へ処理を進める。
【０１１５】
ステップＳ２０２では、ＣＰＵ１０ａは、ステップＳ２０１において特定した全ての細菌検査結果データベース２２から全てのレコードを読み出し、読み出した全レコードで、ＲＡＭ１０ｂに用意されている第１ワークテーブル内を上書き更新する。更新後、ＣＰＵ１０ａは、ステップＳ２０３へ処理を進める。
【０１１６】
ステップＳ２０３では、ＣＰＵ１０ａは、ＲＡＭ１０ｂに用意されている第２及び第３ワークテーブル内をそれぞれクリアし、第１ループ処理Ｌ１を実行する。
【０１１７】
第１ループ処理Ｌ１では、ＣＰＵ１０ａは、第１ワークテーブル中の全レコードを一つずつ処理対象として順次特定することによって、全レコードのそれぞれに対し、ステップＳ２１１〜Ｓ２１８の処理を繰り返し実行する。
【０１１８】
ステップＳ２１１では、ＣＰＵ１０ａは、処理対象のレコードが「同定菌」フィールドに何も記録されていないレコードであるか否かを、判別する。そして、処理対象のレコードが「同定菌」フィールドに何も記録されていないレコードでなかった場合（Ｓ２１１；ＮＯ）には、ＣＰＵ１０ａは、ステップＳ２１２へ処理を進める。
【０１１９】
ステップＳ２１２では、ＣＰＵ１０ａは、処理対象のレコードの「同定菌」フィールドに記録されている菌コードに対応する菌名を、サーバ装置２０内の菌情報管理マスタテーブル２７から読み出し、ステップＳ２１４へ処理を進める。
【０１２０】
一方、ステップＳ２１１において、処理対象のレコードが「同定菌」フィールドに何も記録されていないレコードであった場合（Ｓ２１１；ＹＥＳ）には、ＣＰＵ１０ａは、ステップＳ２１３へ処理を進める。
【０１２１】
ステップＳ２１３では、ＣＰＵ１０ａは、処理対象のレコードの各フィールドに記録されている検査区分コード，判定区分コード，検査項目コード，及び、データ型コードの組み合わせに対応する検査項目名を、サーバ装置２０内の検査項目管理マスタテーブル２８から読み出し、ステップＳ２１４へ処理を進める。
【０１２２】
ステップＳ２１４では、ＣＰＵ１０ａは、処理対象のレコードの「同定菌」フィールド及び「データ型」フィールドに記録されている菌量コード及びデータ型コードの組み合わせに対応する菌量情報を、サーバ装置２０内の菌量情報管理マスタテーブル２９から読み出し、ステップＳ２１５へ処理を進める。
【０１２３】
ステップＳ２１５では、ＣＰＵ１０ａは、ステップＳ２１２において読み出した菌名，及び、ステップＳ２１３において読み出した検査項目名のうちの何れか一方、並びに、ステップＳ２１４において読み出した菌量情報からなるレコードを、ＲＡＭ１０ｂに用意されている第２ワークテーブル内に追加記録する。記録後、ＣＰＵ１０ａは、ステップＳ２１６へ処理を進める。
【０１２４】
ステップＳ２１６では、ＣＰＵ１０ａは、処理対象レコードが「判定区分」フィールドに“４”を記録するとともに「感受性」フィールドに“１”を記録したレコードであるか否か、判別する。すなわち、ＣＰＵ１０ａは、処理対象のレコードが“培養同定”及び“感受性試験有り”を示すレコードであるか否かを、判別する。
【０１２５】
そして、ＣＰＵ１０ａは、処理対象レコードが「判定区分」フィールドに“４”を記録するとともに「感受性」フィールドに“１”を記録したレコードでなかった場合（Ｓ２１６；ＮＯ）には、次に処理対象となるべきレコードがあればそのレコードを処理対象としてステップＳ２１１へ処理を進め、処理対象レコードが「判定区分」フィールドに“４”を記録するとともに「感受性」フィールドに“１”を記録したレコードであった場合（Ｓ２１６；ＹＥＳ）には、ステップＳ２１７へ処理を進める。
【０１２６】
ステップＳ２１７では、ＣＰＵ１０ａは、検査室管理番号，病院コード，被験者番号，検査区分コード，検査項目コード，及び、菌コードが処理対象レコードの各フィールド中に記録されているものと同じであるレコードを、各感受性試験結果データベース（ＤＢ）２１から読み出す。読み出した後、ＣＰＵ１０ａは、ステップＳ２１８へ処理を進める。
【０１２７】
ステップＳ２１８では、ＣＰＵ１０ａは、ステップＳ２１７において読み出した各レコードを、ＲＡＭ１０ｂに用意されている第３ワークテーブル内に、追加記録する。
【０１２８】
以上に説明したステップＳ２１１〜Ｓ２１８の処理が、第１ワークテーブル内の全レコードのそれぞれについて実行されることにより、第２及び第３ワークテーブル内には、幾つかのレコードが蓄積される。ＣＰＵ１０ａは、第１ワークテーブル中の全レコードのそれぞれについて、ステップＳ２１１〜Ｓ２１８の処理を実行し終えると、第１ループ処理Ｌ１から脱して、詳細検査結果情報抽出処理を終了し、図１３のステップＳ１０９へ処理を進める。
【０１２９】
ステップＳ１０９では、ＣＰＵ１０ａは、詳細検査結果一覧画面を表示装置１０ｃに表示するための処理を実行する。
【０１３０】
このステップＳ１０９において実行される処理をより具体的に説明すると、ＣＰＵ１０ａは、まず、ＨＤＤ１０ｈ中のクライアントソフトウエアに含まれる所定の画面データを読み出す。
【０１３１】
続いて、ＣＰＵ１０ａは、当該簡略検査結果情報中の検査区分コード，被験者番号，病院コード，医科コード，材料コード，及び、部位コードにそれぞれ対応する検査区分名，被験者氏名，被験者性別，被験者年齢，被験者生年月日，病院名，医科名，材料名，及び、部位名を、サーバ装置２０内の依頼元情報管理マスタテーブル２４，被検材料情報管理マスタテーブル２５，検査部位情報管理マスタテーブル２６，及び、その他の図示せぬテーブル（例えば、検査区分コードから検査区分名を導出するための図示せぬテーブル），並びに、上述した図示せぬ受診者データベースから読み出す。
【０１３２】
その後、ＣＰＵ１０ａは、当該簡略検査結果情報に係る検査区分名，被験者氏名，被験者番号，被験者性別，被験者年齢，被験者生年月日，病院名，医科名，材料名，部位名，補足材料名，採取日，及び、判定日からなる情報（詳細検査結果関連情報）を、上述した画面データに組み込む。
【０１３３】
さらに、ＣＰＵ１０ａは、第２及び第３ワークテーブル内のレコードを、その画面データに組み込む。
【０１３４】
そして、ＣＰＵ１０ａは、この画面データに基づいて詳細検査結果一覧画面を表示装置１０ｃに表示させる。図１９は、この詳細検査結果一覧画面３２の画面例を、示している。
【０１３５】
図１９の詳細検査結果一覧画面３２には、三つの表示欄が示されている。このうち、一つ目の表示欄（図１９中の左上側の表示欄）には、上述した詳細検査結果関連情報が、記述されている。
【０１３６】
また、二つ目の表示欄（図１９中の右上側の表示欄）には、第２ワークテーブル内のレコードに基づいて作成された一覧表が、記述されている。この一覧表では、この細菌検査において行われる各大項目と各検査項目としての菌名とが、各行に列挙されている。また、菌の検出が行われる検査項目又は大項目の行中には、その検査結果である菌量情報が、含まれている。
【０１３７】
さらに、三つ目の表示欄（図１９中の下側の表示欄）には、第３ワークテーブル内のレコードに基づいて作成された一覧表が、示されている。この一覧表は、感受性試験の試験対象となる同定菌の菌名が列挙された縦軸と、感受性試験で用いられる薬剤の名称が列挙された横軸とを有する二次元マトリックスによって、構成されている。そして、この二次元マトリックスの全てのマスのうちの幾つかには、感受性試験によって検出された菌の菌量を示す菌量情報（上述したＳ，Ｉ，Ｒのうちの何れか）が、格納されている。
【０１３８】
また、この図１９の詳細検査結果一覧画面３２には、上述した検索結果一覧画面（図１７参照）３１を表示装置１０ｃに表示させようとする操作者によってクリックされる戻るボタン３２ａと、過去の全ての細菌検査においてこの被験者から検出されて同定された全ての菌の菌量を一覧するための画面を表示装置１０ｃに表示させようとする操作者によってクリックされる菌履歴ボタン３２ｂとが、示されている。なお、この菌履歴ボタン３２ｂは、上記の第１受付手段に相当する。
【０１３９】
図１３のステップＳ１０９の処理を実行することによって、図１９のような詳細検査結果一覧画面３２が表示装置１０ｃに表示された後、ＣＰＵ１０ａは、ステップＳ１１０へ処理を進める。
【０１４０】
ステップＳ１１０では、ＣＰＵ１０ａは、詳細検査結果一覧画面３２に示されている二つのボタン３２ａ，３２ｂのうちの何れか１つがクリックされるまで、待機する（Ｓ１１０；ＮＯ）。そして、何れか１つのボタンがクリックされると（Ｓ１１０；ＹＥＳ）、ＣＰＵ１０ａは、ステップＳ１１１へ処理を進める。
【０１４１】
ステップＳ１１１では、ＣＰＵ１０ａは、クリックされたボタンが上記の詳細検査結果一覧画面３２の中の二つのボタン３２ａ，３２ｂのうちの何れのボタンであるかを、判別する。そして、ＣＰＵ１０ａは、クリックされたボタンが戻るボタン３２ａであった場合（Ｓ１１１；戻る）には、ステップＳ１０５へ処理を戻し、クリックされたボタンが菌履歴ボタン３２ｂであった場合（Ｓ１１１；菌履歴）には、図１４のステップＳ１１２へ処理を進める。
【０１４２】
ステップＳ１１２では、ＣＰＵ１０ａは、ＲＡＭ１０ｂに用意されている第４ワークテーブル内をクリアし、ステップＳ１１３へ処理を進める。
【０１４３】
ステップＳ１１３では、ＣＰＵ１０ａは、当該簡略検査結果情報中の検査室管理番号，病院コード，及び、被験者番号をキーとして、サーバ装置２０内の全ての細菌検査結果データベース（ＤＢ）２２を検索する。より具体的には、ＣＰＵ１０ａは、そのキーとなる情報を引数としてサーバ装置２０へ引き渡す。すると、データベースプログラムを実行したサーバ装置２０のＣＰＵ２０ａが、検索を実行する。
【０１４４】
次のステップＳ１１４では、ＣＰＵ１０ａは、ステップＳ１１３における検索の結果、何れかのレコードが検出されたか否かを、判別する。つまり、ＣＰＵ１０ａは、サーバ装置２０から検索結果を受け取れたか否かを、判別する。そして、ＣＰＵ１０ａは、何れかのレコードが検出されなかった場合（Ｓ１１４；ＮＯ）には、ステップＳ１１７へ処理を進め、何れかのレコードが検出された場合（Ｓ１１４；ＹＥＳ）には、ステップＳ１１５へ処理を進める。
【０１４５】
ステップＳ１１５では、ＣＰＵ１０ａは、ステップＳ１１３における検索により検出されたレコードの中から、所定条件を持つレコードをさらに検索する。その所定条件を持つレコードとは、「検査区分」フィールドに“１”が記録され、「判定区分」フィールドに“４”が記録され、「感受性」フィールドに“０”が記録され、「同定菌」フィールドに何らかの菌コードが記録されているレコードである。
【０１４６】
次のステップＳ１１６では、ＣＰＵ１０ａは、ステップＳ１１５における検索の結果、上記の所定条件を持つレコードが検出されたか否かを、判別する。そして、上記の所定条件を持つレコードが検出されなかった場合（Ｓ１１６；ＮＯ）には、ＣＰＵ１０ａは、ステップＳ１１７へ処理を進める。
【０１４７】
ステップＳ１１７では、ＣＰＵ１０ａは、エラー画面を表示装置１０ｃに表示するための処理を実行する。より具体的には、ＣＰＵ１０ａは、ＨＤＤ１０ｈ中のクライアントソフトウエアに含まれる所定の画面データを読み出し、この画面データに基づいてエラー画面を表示装置１０ｃに表示させる。
【０１４８】
なお、このエラー画面には、その被験者の少なくとも一つの検査結果について図１９の詳細検査結果一覧画面１９を表示したにも拘わらず、その被験者の複数の検査結果に関する情報を各細菌検査結果データベース２２から検出することができなかった旨が、記述されている。ＣＰＵ１０ａは、このようなエラー画面を表示装置１０ｃに表示させた後、図１３のステップＳ１０９へ処理を戻す。
【０１４９】
一方、ステップＳ１１６において、ステップＳ１１３における検索により検出されたレコードの中から、上記の所定条件を持つレコードが検出された場合（Ｓ１１６；ＹＥＳ）には、ＣＰＵ１０ａは、ステップＳ１１８へ処理を進める。
【０１５０】
ステップＳ１１８では、ＣＰＵ１０ａは、ステップＳ１１５における検索により検出された全てのレコードを第４ワークテーブルに記録する。なお、ステップＳ１１３〜Ｓ１１６とこのステップＳ１１８は、上記の読出手段に相当する。ＣＰＵ１０ａは、第４ワークテーブルに全レコードを記録後、ステップＳ１１９へ処理を進める。
【０１５１】
ステップＳ１１９では、ＣＰＵ１０ａは、第４ワークテーブル内の各レコードが同一の部位コードを持つレコード群として幾つかのグループに纏まるように、並べ替える。さらに、ＣＰＵ１０ａは、各グループ内においては、新しい採取日から古い採取日の順となるように、レコードをソートする。ソート後、ＣＰＵ１０ａは、ステップＳ１２０へ処理を進める。
【０１５２】
ステップＳ１２０では、ＣＰＵ１０ａは、菌履歴一覧画面を表示装置１０ｃに表示するための処理を実行する。なお、ステップＳ１１９とこのステップＳ１２０は、上記の第１表示手段に相当する。
【０１５３】
このステップＳ１２０において実行される処理をより具体的に説明すると、ＣＰＵ１０ａは、まず、ＨＤＤ１０ｈ中のクライアントソフトウエアに含まれる所定の画面データを読み出す。
【０１５４】
続いて、ＣＰＵ１０ａは、第４ワークテーブル内の全レコードのそれぞれについて、検査区分コード，材料コード，部位コード，菌コード，及び、データ型コードに対応する材料名，部位名，菌名，及び、菌量情報を、サーバ装置２０内の被検材料情報管理マスタテーブル２５，検査部位情報管理マスタテーブル２６，菌情報管理マスタテーブル２７，及び、菌量情報管理マスタテーブル２９から読み出す。
【０１５５】
その後、ＣＰＵ１０ａは、第４ワークテーブル中の全レコードのそれぞれに係る材料名，部位名，菌名，菌量情報，及び、採取日からなるデータを、上述した画面データに組み込む。
【０１５６】
さらに、ＣＰＵ１０ａは、上述した図示せぬ受診者データベースから、当該簡略検査結果情報中の被験者番号に対応する被験者名，被験者性別，被験者年齢を読み出し、これらを上記の画面データに組み込む。
【０１５７】
そして、ＣＰＵ１０ａは、この画面データに基づいて菌履歴一覧画面を表示装置１０ｃに表示させる。図２０は、この菌履歴一覧画面３３の画面例を、示している。
【０１５８】
図２０の菌履歴一覧画面３３には、六つの表示欄が、上側から下側へ順に示されている。このうち、一番上側にある一つ目の表示欄には、当該被験者の氏名，被験者番号，性別，及び、年齢が、示されている。
【０１５９】
また、残りの五つの表示欄には、それぞれ、被験者の体内の部位である呼吸器，消化器，泌尿器，血液穿刺液，及び、その他についての細菌検査の検査結果が、表示されている。
【０１６０】
より具体的には、これら五つの表示欄の何れも、複数の行を有しており、そのうちの最も上側の一行目には、その表示欄に対応する部位名が記述される部位名欄，材料という語句が記述される項目欄，及び、日付が記述される複数の日付欄が、記述されている。
【０１６１】
また、五つの表示欄の何れにおいても、一行目以外の他の行には、その被験者の過去の細菌検査によってその部位から検出されて同定されたことのある菌の名称と、その菌が検出された被検部材の名称とが、上側から下側へ向かう順に列挙されている。
【０１６２】
また、五つの表示欄の何れにおいても、一行目以外の各行には、この被験者の体内のその部位から被検部材を採取した全ての採取日が示されたフィールドが、それぞれ形成されており、一行目の各日付欄には、その採取日がそれぞれ記述される。そして、その採取日の被検材料から検出されて同定された菌がある場合、その菌名の行におけるその採取日のフィールドに、その菌についての検査結果である菌量情報が、記録される。
【０１６３】
さらに、採取日の各フィールド及び一行目の日付欄は、新しい採取日ほど左側にくるように、配置されている。なお、幾つかの表示欄のそれぞれに同じ採取日のフィールドが存在した場合、それらフィールドは必ず同列に配置されることはないが、各表示欄内での左詰の結果、同列に配置されることはある。
【０１６４】
なお、これら五つの表示欄のそれぞれにおいて、採取日のフィールド及び一行目の各日付欄が存在する領域は、スクロールバー等によって左右にスクロール操作させることができるように構成されていても良い。このように構成されると、一つの画面内に収まりきらない量の採取日のフィールドが形成されてしまっても、そのフィールドを別画面に表示させなくて済む。
【０１６５】
また、これら五つの表示欄のそれぞれにおいて、菌名，部材名，及び、菌量情報が含まれた各行は、スクロールバー等によって上下にスクロール操作させることができるように構成されていても良い。このように構成されると、一つの表示欄内に収まりきらない量の行が形成されてしまっても、別画面に表示させたり表示欄を拡大したりしなくて済む。
【０１６６】
そして、これら五つの表示欄においては、各行における菌名が表示された領域は、それぞれ、クリッカブルなボタンとして機能する。以下、このボタンを、菌名欄ボタンと表記する。なお、この菌名欄ボタンは、第２受付手段に相当する。
【０１６７】
また、これら五つの表示欄においては、採取日が記述された各日付欄の占める領域も、それぞれ、クリッカブルなボタンとして機能する。以下、これらのボタンを、日付欄ボタンと表記する。なお、この日付欄ボタンは、第３受付手段に相当する。
【０１６８】
さらに、この図２０の菌履歴一覧画面３３には、詳細検査結果一覧画面（図１９参照）３２を表示装置１０ｃに表示させようとする操作者によってクリックされる戻るボタン３３ａが、示されている。
【０１６９】
図１４のステップＳ１２０の処理を実行することによって、図２０のような菌履歴一覧画面３３が表示装置１０ｃに表示された後、ＣＰＵ１０ａは、ステップＳ１２１へ処理を進める。
【０１７０】
ステップＳ１２１では、ＣＰＵ１０ａは、菌履歴一覧画面３３に示される日付欄ボタン，菌名欄ボタン，及び、戻るボタン３３ａのうちの何れか１つがクリックされるまで、待機する（Ｓ１２１；ＮＯ）。そして、何れか１つのボタンがクリックされると（Ｓ１２１；ＹＥＳ）、ＣＰＵ１０ａは、ステップＳ１２２へ処理を進める。
【０１７１】
ステップＳ１２２では、ＣＰＵ１０ａは、クリックされたボタンが上記の菌履歴一覧画面３３中のどのボタンであるかを、判別する。そして、ＣＰＵ１０ａは、クリックされたボタンが戻るボタン３３ａであった場合（Ｓ１２２；戻る）には、図１３のステップＳ１０９へ処理を戻し、クリックされたボタンが菌履歴一覧画面３３中の菌名欄ボタンであった場合（Ｓ１２２；菌名欄）には、図１５のステップＳ１２３へ処理を進める。
【０１７２】
ステップＳ１２３では、ＣＰＵ１０ａは、ＲＡＭ１０ｂに用意されている第５ワークテーブル内をクリアし、ステップＳ１２４へ処理を進める。
【０１７３】
ステップＳ１２４では、ＣＰＵ１０ａは、ＲＡＭ１０ｂに用意されている第６ワークテーブル内にレコードが蓄積されているか否かを、判別する。そして、第６ワークテーブル内にレコードが蓄積されていなかった場合（Ｓ１２４；ＮＯ）には、ＣＰＵ１０ａは、ステップＳ１３１へ処理を進める。
【０１７４】
ステップＳ１３１では、ＣＰＵ１０ａは、ステップＳ１２１においてクリックが検出された菌名欄ボタンに示されている菌名に対応する菌コードにて、ＲＡＭ１０ｂに用意されている第４ワークテーブル内を検索する（実際には、データベースプログラムに従ったサーバ装置２０のＣＰＵ２０ａが実行する）。
【０１７５】
次のステップＳ１３２では、ＣＰＵ１０ａは、ステップＳ１３１における検索の結果として当該菌コードを持つレコードが第４ワークテーブル内から検出されたか否かを、判別する。そして、当該菌コードを持つレコードが第４ワークテーブル内から検出された場合（Ｓ１３２；ＹＥＳ）には、ＣＰＵ１０ａは、ステップＳ１３３へ処理を進める。
【０１７６】
ステップＳ１３３では、ＣＰＵ１０ａは、ステップＳ１３１における検索の結果として第４ワークテーブルから検出された全てのレコードを第５ワークテーブルに記録し、ステップＳ１３４へ処理を進める。
【０１７７】
ステップＳ１３４では、ＣＰＵ１０ａは、第５ワークテーブル内の各レコードが同一の部位コードを持つレコード群として幾つかのグループに纏まるように、並べ替える。さらに、ＣＰＵ１０ａは、各グループ内においては、新しい採取日から古い採取日の順となるように、レコードをソートする。ソート後、ＣＰＵ１０ａは、ステップＳ１３５へ処理を進める。
【０１７８】
ステップＳ１３５では、ＣＰＵ１０ａは、特定菌履歴一覧画面を表示装置１０ｃに表示するための処理を実行する。このステップＳ１３５において実行される処理を簡単に説明すると、この処理は、ステップＳ１２０において実行される処理と同じ内容となっており、第５ワークテーブル内の各レコードに基づいて各マスタテーブルやデータベースから読み出した情報を画面データに組み込み、この画面データに基づいて画面を表示装置１０ｃに表示させる。
【０１７９】
なお、このステップＳ１３５は、使用されるレコードが第４ワークテーブル中のものであるか第５ワークテーブル中のものであるかという点で、ステップＳ１２０とは異なっている。つまり、ステップＳ１２０においては、被験者の過去の全ての検査結果についてのレコードが処理対象となるのに対し、ステップＳ１３５においては、その全ての検査結果の中から選択された特定の菌（すなわち、菌履歴一覧画面３３上でクリックされた菌名欄ボタンに示されている菌）についてレコードが処理対象となっている。
【０１８０】
また、このステップＳ１３５において表示装置１０ｃに表示される特定菌履歴一覧画面は、図２０の菌履歴一覧画面３３の中から、選択された菌以外の行を削除したものとなる。例えば、図２０の菌履歴一覧画面３３には、“Citrobacter sp.”という菌の行が呼吸器，消化器，血液穿刺液，及び、その他の四つの表示欄にそれぞれ存在しており、この菌が選択された場合には、特定菌履歴一覧画面は、それら四つの表示欄におけるその菌の行のみが残され、その他の菌の行が削除されたものとなる。
【０１８１】
さらに、この特定菌履歴一覧画面は、図２０の菌履歴一覧画面３３と同様に、戻るボタンを有しているが、各日付欄と菌名欄が示されている領域は、クリッカブルなボタンとして機能しない。
【０１８２】
なお、ステップＳ１３１〜Ｓ１３５は、第２表示手段に相当する。
【０１８３】
次のステップＳ１３６では、ＣＰＵ１０ａは、矢印ガイダンス表示処理を実行する。図２１は、この矢印ガイダンス表示処理の内容を説明するためのフローチャートである。
【０１８４】
矢印ガイダンス表示処理の開始後、最初のステップＳ３０１では、ＣＰＵ１０ａは、第５ワークテーブル内に２個以上のレコードが蓄積されているか否かを、判別する。そして、ＣＰＵ１０ａは、第５ワークテーブル内に２個以上のレコードが蓄積されていなかった場合（Ｓ３０１；ＮＯ）には、矢印ガイダンス表示処理を終了して図１５のステップＳ１３７へ処理を進め、第５ワークテーブル内に２個以上のレコードが蓄積されていた場合（Ｓ３０１；ＹＥＳ）には、ステップＳ３０２へ処理を進める。
【０１８５】
ステップＳ３０２では、ＣＰＵ１０ａは、第５ワークテーブル内の各レコードを、新しい採取日から古い採取日の順となるようにソートし、ステップＳ３０３へ処理を進める。
【０１８６】
ステップＳ３０３では、ＣＰＵ１０ａは、第５ワークテーブル内の各レコードのうち、採取日が最新である一つ目のレコードを処理対象として特定し、ステップＳ３０４へ処理を進める。
【０１８７】
ステップＳ３０４では、ＣＰＵ１０ａは、特定菌履歴一覧画面上に定義された座標系のうち、処理対象レコードの採取日が記述された日付欄の中心の座標値を取得し、この座標値で矢印先頭変数を更新する。更新後、ＣＰＵ１０ａは、ステップＳ３０５へ処理を進める。
【０１８８】
ステップＳ３０５では、ＣＰＵ１０ａは、第５ワークテーブル内における処理対象レコードの採取日の次に最新の採取日を持つレコードを、次の処理対象として特定し、ステップＳ３０６へ処理を進める。
【０１８９】
ステップＳ３０６では、ＣＰＵ１０ａは、特定菌履歴一覧画面上に定義された座標系のうち、処理対象レコードの採取日が記述された日付欄の中心の座標値を取得し、この座標値で矢印後尾変数を更新する。更新後、ＣＰＵ１０ａは、ステップＳ３０７へ処理を進める。
【０１９０】
ステップＳ３０７では、ＣＰＵ１０ａは、矢印先頭変数の代入値が示す位置と矢印後尾変数の代入値が示す位置とを結ぶ矢印線を、特定菌履歴一覧画面上に描画する。描画後、ＣＰＵ１０ａは、ステップＳ３０８へ処理を進める。
【０１９１】
ステップＳ３０８では、ＣＰＵ１０ａは、矢印後尾変数の代入値で矢印先頭変数を更新し、ステップＳ３０９へ処理を進める。
【０１９２】
ステップＳ３０９では、ＣＰＵ１０ａは、第５ワークテーブル内のレコードのうち、処理対象レコードの採取日の次に最新の採取日を持つレコードが存在するか否かを、判別する。そして、処理対象レコードの採取日の次に最新の採取日を持つレコードが存在していた場合（Ｓ３０９；ＹＥＳ）、ＣＰＵ１０ａは、ステップＳ３０５へ処理を戻す。
【０１９３】
ステップＳ３０５〜Ｓ３０９の処理ループを実行することにより、特定菌履歴一覧画面には、各日付欄を一列にリンクする複数の矢印線が、順次描画される。ここで、一本の矢印線においては、その矢尻は、矢印線の両端にある二つの日付欄のうちの採取日が新しい側の日付欄に向けられており、描画後の各矢印線を追っていくと、日付欄内の採取日は、古いものから新しいものの順となっているが、各矢印線が一本ずつ描画される順としては、矢尻が指し示す日付欄内の採取日が順次古くなるような順となっている。図２２は、このような矢印線が全て描画された後の特定菌履歴一覧画面３４の画面例を、示している。
【０１９４】
そして、このステップＳ３０５〜Ｓ３０９の処理ループの実行中、処理対象レコードの採取日の次に最新の採取日を持つレコードが第５ワークテーブルに存在しなくなった場合（Ｓ３０９；ＮＯ）、ＣＰＵ１０ａは、ステップＳ３０９から処理を分岐させ、矢印ガイダンス表示処理を終了し、図１５のステップＳ１３７へ処理を進める。
【０１９５】
ステップＳ１３７では、ＣＰＵ１０ａは、特定菌履歴一覧画面３４内の五つの表示欄にそれぞれ示される横スクロールバー中のスクロールタブが操作されたか否かを、判別する。そして、何れかの表示欄に示される横スクロールバー中のスクロールタブが操作されていなかった場合（Ｓ１３７；ＮＯ）には、ＣＰＵ１０ａは、ステップＳ１３８へ処理を進める。
【０１９６】
ステップＳ１３８では、ＣＰＵ１０ａは、特定菌履歴一覧画面３４に示される戻るボタン３４ａがクリックされたか否かを、判別する。そして、戻るボタン３４ａがクリックされていなかった場合（Ｓ１３８；ＮＯ）には、ＣＰＵ１０ａは、ステップＳ１３７へ処理を戻す。
【０１９７】
ステップＳ１３７，Ｓ１３８の処理ループの実行中、特定菌履歴一覧画面３４内の何れかの表示欄に示される横スクロールバー中のスクロールタブが操作されると（Ｓ１３７；ＹＥＳ）、ＣＰＵ１０ａは、ステップＳ１３６へ処理を戻す。従って、何れかの表示欄内において採取日とともに示された各列がスクロール操作によって左右方向にスライドした時には、矢印線が再描画される。なお、ステップＳ１３７は、スクロール受付手段に相当し、ステップＳ１３６は、再描画手段に相当する。
【０１９８】
また、ステップＳ１３７，Ｓ１３８の処理ループの実行中、戻るボタン３４ａがクリックされると（Ｓ１３８；ＹＥＳ）、ＣＰＵ１０ａは、図１４のステップＳ１２０へ処理を戻す。
【０１９９】
一方、図１５のステップＳ１２４において、第６ワークテーブル内にレコードが蓄積されていた場合（Ｓ１２４；ＹＥＳ）には、ＣＰＵ１０ａは、ステップＳ１４１へ処理を進める。
【０２００】
ステップＳ１４１では、ＣＰＵ１０ａは、ステップＳ１２１においてクリックが検出された菌名欄ボタンに示されている菌名に対応する菌コードにて、ＲＡＭ１０ｂに用意されている第６ワークテーブル内を検索する（実際には、データベースプログラムに従ったサーバ装置２０のＣＰＵ２０ａが実行する）。
【０２０１】
次のステップＳ１４２では、ＣＰＵ１０ａは、ステップＳ１４１における検索の結果として当該菌コードを持つレコードが第６ワークテーブル内から検出されたか否かを、判別する。そして、当該菌コードを持つレコードが第４ワークテーブル内から検出された場合（Ｓ１４２；ＹＥＳ）には、ＣＰＵ１０ａは、ステップＳ１４３へ処理を進める。
【０２０２】
ステップＳ１４３では、ＣＰＵ１０ａは、ステップＳ１４１における検索の結果として第６ワークテーブルから検出された全てのレコードを第５ワークテーブルに記録し、ステップＳ１４４へ処理を進める。
【０２０３】
ステップＳ１４４では、ＣＰＵ１０ａは、第５ワークテーブル内の各レコードが同一の部位コードを持つレコード群として幾つかのグループに纏まるように、並べ替える。さらに、ＣＰＵ１０ａは、各グループ内においては、新しい採取日から古い採取日の順となるように、レコードをソートする。ソート後、ＣＰＵ１０ａは、ステップＳ１４５へ処理を進める。
【０２０４】
ステップＳ１４５では、ＣＰＵ１０ａは、特定菌履歴一覧画面を表示装置１０ｃに表示するための処理を実行する。このステップＳ１４５における処理内容は、ステップＳ１３５と同じ処理内容である。
【０２０５】
但し、ステップＳ１４５の処理対象となるレコードは、ステップＳ１３５とは異なり、第６ワークテーブルから抽出されたものである。この第６ワークテーブルには、後述するように、図２０の菌履歴一覧画面３３において日付欄がクリックされた場合にレコードが格納されるワークテーブルであり、より具体的には、その日付欄に記述される採取日の前後一ヶ月の時期的範囲内に採取日が含まれるレコードが、蓄積されている。従って、ステップＳ１４５において表示装置１０ｃに表示される特定菌履歴一覧画面には、選択された菌の菌量情報のうちのその時期的範囲内に採取日が含まれるものだけが、示される。
【０２０６】
なお、ステップＳ１４１〜Ｓ１４５は、第２表示手段に相当する。
【０２０７】
次のステップＳ１４６では、ＣＰＵ１０ａは、矢印ガイダンス表示処理を実行する。この矢印ガイダンス表示処理は、ステップＳ１３６にて実行されるもの（図２１に示した処理）と同じ処理であるので、ここではその説明を省略する。この矢印ガイダンス表示処理の結果、特定菌履歴一覧画面には、各日付欄を一列にリンクする複数の矢印線が、矢尻が指し示す日付欄内の採取日が順次新しくなる順に並ぶように、描画されている。但し、各矢印線が一本ずつ描画される順は、上述したように、矢尻の向きとは逆順である。
【０２０８】
次のステップＳ１４７では、ＣＰＵ１０ａは、特定菌履歴一覧画面３４内の五つの表示欄にそれぞれ示される横スクロールバー中のスクロールタブが操作されたか否かを、判別する。そして、何れかの表示欄に示される横スクロールバー中のスクロールタブが操作されていなかった場合（Ｓ１４７；ＮＯ）には、ＣＰＵ１０ａは、ステップＳ１４８へ処理を進める。
【０２０９】
ステップＳ１４８では、ＣＰＵ１０ａは、特定菌履歴一覧画面３４に示される戻るボタン３４ａがクリックされたか否かを、判別する。そして、戻るボタン３４ａがクリックされていなかった場合（Ｓ１４８；ＮＯ）には、ＣＰＵ１０ａは、ステップＳ１４７へ処理を戻す。
【０２１０】
ステップＳ１４７，Ｓ１４８の処理ループの実行中、特定菌履歴一覧画面３４内の何れかの表示欄に示される横スクロールバー中のスクロールタブが操作されると（Ｓ１４７；ＹＥＳ）、ＣＰＵ１０ａは、ステップＳ１３６へ処理を戻す。従って、何れかの表示欄内において採取日とともに示された各列がスクロール操作によって左右方向にスライドした時には、矢印線が再描画される。なお、ステップＳ１４７は、スクロール受付手段に相当し、ステップＳ１４６は、再描画手段に相当する。
【０２１１】
また、ステップＳ１４７，Ｓ１４８の処理ループの実行中、戻るボタン３４ａがクリックされると（Ｓ１４８；ＹＥＳ）、ＣＰＵ１０ａは、図１４のステップＳ１２０へ処理を戻す。
【０２１２】
また、図１５のステップＳ１３２において、ステップＳ１２１においてクリックが検出された菌名欄ボタンに示されている菌名に対応する菌コードを持つレコードが、第４ワークテーブル内から検出されなかった場合（Ｓ１３２；ＮＯ）、或いは、ステップＳ１４２において、当該菌コードを持つレコードが、第６ワークテーブル内から検出されなかった場合（Ｓ１４２；ＮＯ）、ＣＰＵ１０ａは、ステップＳ１５１へ処理を進める。
【０２１３】
ステップＳ１５１では、ＣＰＵ１０ａは、エラー画面を表示装置１０ｃに表示するための処理を実行する。より具体的には、ＣＰＵ１０ａは、ＨＤＤ１０ｈ中のクライアントソフトウエアに含まれる所定の画面データを読み出し、この画面データに基づいてエラー画面を表示装置１０ｃに表示させる。なお、このエラー画面には、特定菌履歴一覧画面３４が表示できない旨が、記述されている。ＣＰＵ１０ａは、このようなエラー画面を表示装置１０ｃに表示させた後、図１４のステップＳ１２０へ処理を戻す。
【０２１４】
また、図１４のステップＳ１２２において、クリックされたボタンが菌履歴一覧画面３３中の日付欄であった場合（Ｓ１２２；日付欄）には、ＣＰＵ１０ａは、図１６のステップＳ１２５へ処理を進める。
【０２１５】
ステップＳ１２５では、ＣＰＵ１０ａは、ＲＡＭ１０ｂに用意されている第６ワークテーブル内をクリアし、ステップＳ１２６へ処理を進める。
【０２１６】
ステップＳ１２６では、ＣＰＵ１０ａは、ＲＡＭ１０ｂに用意されている第５ワークテーブル内にレコードが蓄積されているか否かを、判別する。そして、第５ワークテーブル内にレコードが蓄積されていなかった場合（Ｓ１２６；ＮＯ）には、ＣＰＵ１０ａは、ステップＳ１６１へ処理を進める。
【０２１７】
ステップＳ１６１では、ＣＰＵ１０ａは、ステップＳ１２１においてクリックが検出された日付欄ボタンに示されている採取日の前後一ヶ月の時期的範囲を検索条件として、ＲＡＭ１０ｂに用意されている第４ワークテーブル内を検索する（実際には、データベースプログラムに従ったサーバ装置２０のＣＰＵ２０ａが実行する）。
【０２１８】
次のステップＳ１６２では、ＣＰＵ１０ａは、ステップＳ１６１における検索の結果として当該時期的範囲内に採取日が含まれるレコードが第４ワークテーブル内から検出されたか否かを、判別する。そして、当該時期的範囲内に採取日が含まれるレコードが第４ワークテーブル内から検出された場合（Ｓ１６２；ＹＥＳ）には、ＣＰＵ１０ａは、ステップＳ１６３へ処理を進める。
【０２１９】
ステップＳ１６３では、ＣＰＵ１０ａは、ステップＳ１６１における検索の結果として第４ワークテーブルから検出された全てのレコードを第６ワークテーブルに記録し、ステップＳ１６４へ処理を進める。
【０２２０】
ステップＳ１６４では、ＣＰＵ１０ａは、第６ワークテーブル内の各レコードが同一の部位コードを持つレコード群として幾つかのグループに纏まるように、並べ替える。さらに、ＣＰＵ１０ａは、各グループ内においては、新しい採取日から古い採取日の順となるように、レコードをソートする。ソート後、ＣＰＵ１０ａは、ステップＳ１６５へ処理を進める。
【０２２１】
ステップＳ１６５では、ＣＰＵ１０ａは、特定期間菌履歴一覧画面を表示装置１０ｃに表示するための処理を実行する。このステップＳ１６５において実行される処理を簡単に説明すると、この処理は、ステップＳ１２０において実行される処理と同じ内容となっており、第６ワークテーブル内の各レコードに基づいて各マスタテーブルやデータベースから読み出した情報を画面データに組み込み、この画面データに基づいて画面を表示装置１０ｃに表示させる。
【０２２２】
なお、このステップＳ１６５は、使用されるレコードが第４ワークテーブル中のものであるか第６ワークテーブル中のものであるかという点で、ステップＳ１２０とは異なっている。つまり、ステップＳ１２０においては、被験者の過去の全ての検査結果についてレコードが処理対象となるのに対し、ステップＳ１６５においては、その全ての検査結果についてのレコードのうち、選択された採取日の前後一ヶ月の時期的範囲に採取日が含まれるレコードが、処理対象となっている。
【０２２３】
また、このステップＳ１６５において表示装置１０ｃに表示される画面は、図２０の菌履歴一覧画面３３の中から、選択された採取日の前後一ヶ月の時期的範囲には含まれない採取日についての日付欄内の日付及び菌量情報を、削除したものとなる。例えば、図２０の菌履歴一覧画面３３には、２００３年３月１８日から７月３日までにその採取日が含まれる１１個の列が五つの表示欄に存在しており、採取日として５月７日が記述された日付欄が選択された場合には、この１１個の列のうち、４月７日から６月７日にその採取日が含まれる４個の列の中の情報が残され、その他７個の列の中の情報が削除されたものとなる。図２３は、図２０の菌履歴一覧画面３３から上記７個の列の中の情報が削除されるととともに４個の列の中の情報が残されてなる特定期間菌履歴一覧画面３５の画面例を、示している。
【０２２４】
さらに、この特定期間菌履歴一覧画面３５は、図２０の菌履歴一覧画面３３と同様に、戻るボタン３５ａを有しているが、各日付欄と菌名欄が示されている領域は、クリッカブルなボタンとして機能しない。
【０２２５】
なお、ステップＳ１６１〜Ｓ１６５は、第３表示手段に相当する。
【０２２６】
次のステップＳ１６６では、ＣＰＵ１０ａは、特定期間菌履歴一覧画面３５に示される戻るボタン３５ａがクリックされるまで、待機する（Ｓ１６６；ＮＯ）。そして、戻るボタン３５ａがクリックされると（Ｓ１６６；ＹＥＳ）、ＣＰＵ１０ａは、図１４のステップＳ１２０へ処理を戻す。
【０２２７】
一方、図１６のステップＳ１２６において、第５ワークテーブル内にレコードが蓄積されていた場合（Ｓ１２６；ＹＥＳ）には、ＣＰＵ１０ａは、ステップＳ１７１へ処理を進める。
【０２２８】
ステップＳ１７１では、ＣＰＵ１０ａは、ステップＳ１２１においてクリックが検出された日付欄ボタンに示されている採取日の前後一ヶ月の時期的範囲を検索条件として、ＲＡＭ１０ｂに用意されている第５ワークテーブル内を検索する（実際には、データベースプログラムに従ったサーバ装置２０のＣＰＵ２０ａが実行する）。
【０２２９】
次のステップＳ１７２では、ＣＰＵ１０ａは、ステップＳ１７１における検索の結果として当該時期的範囲内に採取日が含まれるレコードが第５ワークテーブル内から検出されたか否かを、判別する。そして、当該時期的範囲内に採取日が含まれるレコードが第５ワークテーブル内から検出された場合（Ｓ１７２；ＹＥＳ）には、ＣＰＵ１０ａは、ステップＳ１７３へ処理を進める。
【０２３０】
ステップＳ１７３では、ＣＰＵ１０ａは、ステップＳ１７１における検索の結果として第５ワークテーブルから検出された全てのレコードを第６ワークテーブルに記録し、ステップＳ１７４へ処理を進める。
【０２３１】
ステップＳ１７４では、ＣＰＵ１０ａは、第６ワークテーブル内の各レコードが同一の部位コードを持つレコード群として幾つかのグループに纏まるように、並べ替える。さらに、ＣＰＵ１０ａは、各グループ内においては、新しい採取日から古い採取日の順となるように、レコードをソートする。ソート後、ＣＰＵ１０ａは、ステップＳ１７５へ処理を進める。
【０２３２】
ステップＳ１７５では、ＣＰＵ１０ａは、特定期間菌履歴一覧画面を表示装置１０ｃに表示するための処理を実行する。このステップＳ１７５における処理内容は、ステップＳ１６５と同じ処理内容である。
【０２３３】
但し、ステップＳ１７５の処理対象となるレコードは、ステップＳ１６５とは異なり、第５ワークテーブルから抽出されたものである。この第５ワークテーブルには、先に説明したように、図２０の菌履歴一覧画面３３において菌名欄がクリックされた場合にレコードが格納されるワークテーブルであり、より具体的には、その菌名欄に記述される菌名に対応する菌コードが含まれるレコードが、蓄積されている。従って、ステップＳ１７５において表示装置１０ｃに表示される特定菌履歴一覧画面には、選択された採取日の前後一ヶ月の時期的範囲内に採取日が含まれる菌量情報のうち、クリックされた菌名欄に記述された菌名についての菌量情報だけが、示される。
【０２３４】
なお、ステップＳ１７１〜Ｓ１７５は、第３表示手段に相当する。
【０２３５】
次のステップＳ１７６では、ＣＰＵ１０ａは、特定期間菌履歴一覧画面に示される戻るボタン３５ａがクリックされるまで、待機する（Ｓ１７６；ＮＯ）。そして、戻るボタンがクリックされると（Ｓ１７６；ＹＥＳ）、ＣＰＵ１０ａは、図１４のステップＳ１２０へ処理を戻す。
【０２３６】
また、図１６のステップＳ１６２において、ステップＳ１２１においてクリックが検出された日付欄ボタンに示されている採取日の前後一ヶ月の時期的範囲に採取日が含まれるレコードが、第４ワークテーブル内から検出されなかった場合（Ｓ１６２；ＮＯ）、或いは、ステップＳ１４２において、当該時期的範囲に採取日が含まれるレコードが、第５ワークテーブル内から検出されなかった場合（Ｓ１７２；ＮＯ）、ＣＰＵ１０ａは、ステップＳ１８１へ処理を進める。
【０２３７】
ステップＳ１８１では、ＣＰＵ１０ａは、エラー画面を表示装置１０ｃに表示するための処理を実行する。より具体的には、ＣＰＵ１０ａは、ＨＤＤ１０ｈ中のクライアントソフトウエアに含まれる所定の画面データを読み出し、この画面データに基づいてエラー画面を表示装置１０ｃに表示させる。なお、このエラー画面には、特定期間菌履歴一覧画面３５が表示できない旨が、記述されている。ＣＰＵ１０ａは、このようなエラー画面を表示装置１０ｃに表示させた後、図１４のステップＳ１２０へ処理を戻す。
【０２３８】
本実施形態の電子カルテシステムは、上述したように構成されるので、以下に説明するように作用する。
【０２３９】
すなわち、何れかの被験者の過去の細菌検査の検査結果が列挙された検索結果一覧画面３１において、何れかの検査結果がクリックされると、その細菌検査についての詳細な検査結果が示された詳細検査結果一覧画面３２が表示装置１０ｃに表示される（Ｓ１０１〜Ｓ１０９）。
【０２４０】
また、その詳細検査結果一覧画面３２に示される菌履歴ボタン３２ｂがクリックされると、その被験者の過去の細菌検査の検査結果が全て示された菌履歴一覧画面３３が、表示装置１０ｃに表示される（Ｓ１１０〜Ｓ１２０）。
【０２４１】
このとき表示される菌履歴一覧画面３３には、被験者の体内の部位毎に複数の表示欄が示されるとともに、その各表示欄のうちの細菌検査がなされた被検材料に対応する部位の表示欄内においては、その部位から採取された被検材料に対してなされた細菌検査の検査結果が、その検査日ととともに、端から順に時系列的に列挙される（図２０参照）。但し、同じ検査日であっても、互いに部位の異なる検査結果同士は、必ず同列に示されるものではない。
【０２４２】
このようにして菌履歴一覧画面３３内において部位毎に検査結果が端から順に示されると、医師は、この菌履歴一覧画面３３によって、その被験者の体内での菌の伝染経路を簡単に確認することができるようになる。
【０２４３】
また、菌履歴一覧画面３３において菌名欄ボタンがクリックされると、その被験者の過去の過去の細菌検査の全ての検査結果のうち、その菌名欄に菌名が示された菌についての検査結果のみが残されてその他の菌についての検査結果が省かれた特定菌履歴一覧画面３４が、表示装置１０ｃに表示される（Ｓ１２１〜Ｓ１２４，Ｓ１３１〜Ｓ１３４，Ｓ１４１〜Ｓ１４５）。従って、医師は、注目する特定の菌の伝染経路を簡単に確認することができるようになる。
【０２４４】
さらに、このとき表示される特定菌履歴一覧画面３４には、古い採取日の日付欄から新しい採取日の日付欄へと採取日が順次新しくなるように各日付欄を一列にリンクする複数の矢印線が、描画される（Ｓ１３６，Ｓ１４６，Ｓ３０１〜Ｓ３０９）。つまり、特定菌履歴一覧画面３４には、各検査結果を古いものから新しいものへと順に指し示す矢印線が、描画される（図２２参照）。この矢印線によれば、医師は、その被験者の体内での特定菌の伝染経路をより一段と簡単に確認することができるようになる。
【０２４５】
そのうえ、菌履歴一覧画面３３において日付欄ボタンがクリックされると、その被験者の過去の細菌検査の全ての検査結果のうち、その日付欄に示された採取日の前後一ヶ月の時期的範囲内に含まれる採取日についての検査結果のみが残されてその範囲に含まれない採取日についての検査結果が省かれた特定期間菌履歴一覧画面３５が表示装置１０ｃに表示される。従って、医師は、注目する特定の期間内での菌の伝染状態を簡単に確認することができるようになる。
【０２４６】
なお、上述した実施形態では、菌履歴一覧画面３３や特定菌履歴一覧画面３４や特定期間菌履歴一覧画面３５の日付欄には、被験者の体内の部位から被検部材を採取した採取日が、記述されていたが、これに限定されるものではない。例えば、この日付欄には、受付日や、判定日や、報告日が記述されていても構わない。
【０２４７】
また、上述した実施形態では、菌履歴一覧画面３３において日付欄ボタンがクリックされた場合に、その日付欄に記述される採取日の前後一ヶ月の時期的範囲を、第４又は第５ワークテーブルに対する検索時の検索条件としていたが、これに限定されるものではない。例えば、その時期的範囲は、その日付欄に記述される採取日の前後二週間であっても良いし、その採取日の以前の二ヶ月であっても良いし、その採取日の以後の半年であっても良い。何れの場合であっても、菌履歴一覧画面３３等にテキストボックス等の入力欄を設けることによって、操作者が、任意にその期間（時期的範囲）の長さを選択できると良い。
【０２４８】
（付記１）
被験者の体内の部位から採取された被検材料に対してなされた細菌検査の検査結果として少なくとも菌の検出の有無，菌の検出時の菌量，及び、検査日を示す情報を管理するための細菌検査結果管理用プログラムであって、
コンピュータを、
何れかの被験者についての過去の細菌検査の検査結果の表示を指定する情報を入力装置を通じて受け付ける第１受付手段，
前記第１受付手段が情報を受け付けると、その情報にて指定される被験者の過去の細菌検査の検査結果を示す情報を記憶装置から読み出す読出手段，及び、
前記読出手段が前記記憶装置から読み出した情報にて示される全ての検査結果が、それぞれその被検材料が採取された部位用の表示欄内に示されているとともに、前記各表示欄内では各検査結果が時系列的に列挙されている一覧画面を、表示装置に表示させる第１表示手段
として機能させる
ことを特徴とする細菌検査結果管理用プログラム。
【０２４９】
（付記２）
前記コンピュータを、更に、
前記表示装置に前記一覧画面が表示された際に、何れかの菌を指定する情報を入力装置を通じて受け付ける第２受付手段，及び、
前記第２受付手段が情報を受け付けると、その情報にて指定される菌についての検査結果のみ残されてその他の菌についての検査結果が省かれた一覧画面を、表示装置に表示させる第２表示手段
として機能させる
ことを特徴とする付記１記載の細菌検査結果管理用プログラム。
【０２５０】
（付記３）
前記第２表示手段が前記表示装置に表示させる一覧画面には、前記各検査結果を古いものから新しいものへと順に指し示す矢印線が、描画されている
ことを特徴とする付記２記載の細菌検査結果管理用プログラム。
【０２５１】
（付記４）
前記コンピュータを、更に、
前記第２表示手段が前記表示装置に表示させる一覧画面の前記表示欄に対するスクロール指示を入力装置を通じて受け付けるスクロール受付手段，及び、
前記スクロール受付手段が受け付けたスクロール指示に基づいて前記表示欄の再表示がなされた時に、前記矢印線の再描画を行う再描画手段
として機能させる
ことを特徴とする付記３記載の細菌検査結果管理用プログラム。
【０２５２】
（付記５）
前記コンピュータを、更に、
前記表示装置に前記一覧画面が表示された際に、任意の期間を指定する情報を入力装置を通じて受け付ける第３受付手段，及び、
前記第３受付手段が情報を受け付けると、その情報にて指定される期間に含まれる検査日についての検査結果のみ残されてその期間に含まれない検査日についての検査結果が省かれた一覧画面を、表示装置に表示させる第３表示手段
として機能させる
ことを特徴とする付記１記載の細菌検査結果管理用プログラム。
【０２５３】
（付記６）
被験者の体内の部位から採取された被検材料に対してなされた細菌検査の検査結果として少なくとも菌の検出の有無，菌の検出時の菌量，及び、検査日を示す情報を管理するための細菌検査結果管理用プログラムであって、
コンピュータを、
何れかの被験者についての過去の細菌検査の検査結果の表示を指定する情報を入力装置を通じて受け付ける第１受付手段，
前記第１受付手段が情報を受け付けると、その情報にて指定される被験者の過去の細菌検査の検査結果を示す情報を記憶装置から読み出す読出手段，及び、
前記読出手段が前記記憶装置から読み出した情報にて示される全ての検査結果が、それぞれその被検材料が採取された部位用の表示欄内に示されているとともに、前記各表示欄内では各検査結果が時系列的に列挙されている一覧画面を、表示装置に表示させる第１表示手段
として機能させる細菌検査結果管理用プログラムを格納した
ことを特徴とするコンピュータ可読媒体。
【図面の簡単な説明】
【０２５４】
【図１】本実施形態である電子カルテシステムを概略的に示す構成図
【図２】クライアント装置の内部を概略的に示す構成図
【図３】サーバ装置の内部を概略的に示す構成図
【図４】全検査結果一括管理データベースを説明するために概念的に示されたデータ構造図
【図５】細菌検査結果データベースを説明するために概念的に示されたデータ構造図
【図６】感受性試験結果データベースを説明するために概念的に示されたデータ構造図
【図７】依頼元情報管理マスタテーブルを説明するために概念的に示されたデータ構造図
【図８】被検材料情報管理マスタテーブルを説明するために概念的に示されたデータ構造図
【図９】検査部位情報管理マスタテーブルを説明するために概念的に示されたデータ構造図
【図１０】菌情報管理マスタテーブルを説明するために概念的に示されたデータ構造図
【図１１】検査項目管理マスタテーブルを説明するために概念的に示されたデータ構造図
【図１２】菌量情報管理マスタテーブルを説明するために概念的に示されたデータ構造図
【図１３】伝染経路確認用処理の内容を説明するためのフローチャート
【図１４】伝染経路確認用処理の内容を説明するためのフローチャート
【図１５】伝染経路確認用処理の内容を説明するためのフローチャート
【図１６】伝染経路確認用処理の内容を説明するためのフローチャート
【図１７】検索結果一覧画面の画面例を示す図
【図１８】詳細検査結果情報抽出処理の内容を説明するためのフローチャート
【図１９】詳細検査結果一覧画面の画面例を示す図
【図２０】菌履歴一覧画面の画面例を示す図
【図２１】矢印ガイダンス表示処理の内容を説明するためのフローチャート
【図２２】矢印線が描画された後の特定菌履歴一覧画面の画面例を示す図
【図２３】特定期間菌履歴一覧画面の画面例を示す図
【符号の説明】
【０２５５】
１０    クライアント装置
１０ａ  ＣＰＵ
１０ｂ  ＲＡＭ
１０ｃ  表示装置
１０ｄ  入力装置
１０ｅ  通信制御装置
１０ｆ  ＦＤＤ
１０ｇ  ＣＤＤ
１０ｈ  ＨＤＤ
１１    伝染経路確認用プログラム
２０    サーバ装置
２０ａ  ＣＰＵ
２０ｂ  ＲＡＭ
２０ｃ  通信制御装置
２０ｄ  記憶装置
２１    全検査結果一括管理データベース
２２    細菌検査結果データベース
２３    感受性試験結果データベース
２４    依頼元情報管理マスタテーブル
２５    被検材料情報管理マスタテーブル
２６    検査部位情報管理マスタテーブル
２７    菌情報管理マスタテーブル
２８    検査項目管理マスタテーブル
２９    菌量情報管理マスタテーブル
【図１】
2005141531.tif 000003
【図２】
2005141531.tif 000004
【図３】
2005141531.tif 000005
【図４】
2005141531.tif 000006
【図５】
2005141531.tif 000007
【図６】
2005141531.tif 000008
【図７】
2005141531.tif 000009
【図８】
2005141531.tif 000010
【図９】
2005141531.tif 000011
【図１０】
2005141531.tif 000012
【図１１】
2005141531.tif 000013
【図１２】
2005141531.tif 000014
【図１３】
2005141531.tif 000015
【図１４】
2005141531.tif 000016
【図１５】
2005141531.tif 000017
【図１６】
2005141531.tif 000018
【図１７】
2005141531.tif 000019
【図１８】
2005141531.tif 000020
【図１９】
2005141531.tif 000021
【図２０】
2005141531.tif 000022
【図２１】
2005141531.tif 000023
【図２２】
2005141531.tif 000024
【図２３】
2005141531.tif 000025